(57)【要約】【課題】基礎土台と根太との上下間に介装される木造土台用スペーサをさらに工夫することにより、基礎土台への荷重分散が所期通りに図られて根太が波打つようなことなく載置できるようにしながら、優れた床下換気効果が得られるようにする。【解決手段】基礎土台１と根太２との上下間に介装される木造土台用スペーサＡにおいて、床下換気用の貫通路４が形成される弾性材製の支持層３を有して構成されている。支持層３が、複数の弾性材製の弾性層６，６と中間硬質板７とが交互に積層されて成る積層ゴム構造のものに構成されている。【選択図】図４
2009121152.tif 000002
【特許請求の範囲】
【請求項１】
基礎土台と根太との上下間に介装される木造土台用スペーサであって、床下換気用の貫通路が形成される弾性材製の支持層を有して構成されている木造土台用スペーサ。
【請求項２】
前記支持層が、複数の弾性材製の弾性層と中間硬質板とが交互に積層されて成る積層ゴム構造のものに構成されている請求項１に記載の木造土台用スペーサ。
【請求項３】
前記中間硬質板を部分的に欠如させて前記弾性層のみから成る弾性部分を形成し、その弾性部分に前記貫通路を設けてある請求項２に記載の木造土台用スペーサ。
【請求項４】
前記弾性材がゴムであり、前記中間硬質板が鋼板である請求項２又は３に記載の木造土台用スペーサ。
【請求項５】
前記支持層における前記中間硬質板の枚数が一枚に設定されている請求項２〜４の何れか一項に記載の木造土台用スペーサ。
【発明の詳細な説明】
【技術分野】
【０００１】
本発明は、基礎土台と根太との上下間に介装される木造土台用スペーサに関するものである。
【背景技術】
【０００２】
戸建住宅等の木造住宅においては、基礎土台と根太との上下間に木造土台用スペーサを適宜間隔毎に配置し、基礎土台と根太との間に床下換気用として十分な空気の流通経路を設ける施工手段を採ることがある。これは、従来の床下換気手段の不利を改善せんとしたものである。
【０００３】
即ち、従来では、基礎土台の上端部における適宜間隔毎に床下換気用の開口を設けることにより、床下の換気が行えるようにする手段が採られているが、そのためには、基礎土台の適宜間隔ごとに床下換気用の凹入部を設ける施工上の手間が掛るとともに、強度上あまり多くの開口を設けることができず、いきおい床下換気が不十分になり易いという問題があった。
【０００４】
そこで、基礎土台と根太との上下間に木造土台用スペーサを設ける手段の採用により、基礎土台の複数箇所に開口を設ける手間、並びに強度低下が解消され、しかも、十分な開口面積による良好な床下換気も可能になる、という具合に改善される優れた技術が提案されている。このように木造土台用スペーサを設ける提案としては、特許文献１や特許文献２において開示されるものが知られている。特許文献１においては、基礎土台と根太との上下間における適宜間隔毎にパッキング材と呼ばれる木造土台用スペーサを設ける技術を示しており、特許文献２においては、充填材を所々に有する板金材製の基礎用パッドと呼ばれる木造土台用スペーサを設ける技術を示している。
【０００５】
通常、基礎土台は、建築現場でのコンパネ等によって型枠された空間箇所に、生コン車から供給されるコンクリートを流し込むとともに養生硬化させて作成されるが、その上面は作業者の手仕上げによる水平面とされるのが一般的である。故に、基礎土台の上面は機械で仕上げるような正確な水平面ではなく、比較的起伏や凹凸を含みながら全体として水平な上面となる。従って、基礎土台上面とそこに載置される根太の底面との上下間隔は正確に一定ではなく、ばらついたものとなり易い。
【０００６】
そのため、根太との間に木造土台用スペーサを配置させる上記いずれの特許文献にて開示された技術でも、場所によっては該スペーサが他のスペーサに比べて重い荷重を受けるとか、逆に荷重が軽くなるといった不都合、換言すれば、根太に不要な曲げモーメントが作用するとか、根太が上下に波打って配置されるという不都合を招き易い傾向がある。
【特許文献１】特開２００２−２６６４４５号公報
【特許文献２】特開平９−１３７５１４号公報
【発明の開示】
【発明が解決しようとする課題】
【０００７】
本発明の目的は、基礎土台と根太との上下間に介装される木造土台用スペーサをさらに工夫することにより、基礎土台への荷重分散が所期通りに図られて根太が波打つようなことなく載置できるようにしながら、優れた床下換気効果が得られるようにする点にある。
【課題を解決するための手段】
【０００８】
請求項１に係る発明は、基礎土台１と根太２との上下間に介装される木造土台用スペーサにおいて、床下換気用の貫通路４が形成される弾性材製の支持層３を有して構成されていることを特徴とするものである。
【０００９】
請求項２に係る発明は、請求項１に記載の木造土台用スペーサにおいて、前記支持層３が、複数の弾性材製の弾性層６，６と中間硬質板７とが交互に積層されて成る積層ゴム構造のものに構成されていることを特徴とするものである。
【００１０】
請求項３に係る発明は、請求項２に記載の木造土台用スペーサにおいて、前記中間硬質板７を部分的に欠如させて前記弾性層６のみから成る弾性部分ｄを形成し、その弾性部分ｄに前記貫通路４を設けてあることを特徴とするものである。
【００１１】
請求項４に係る発明は、請求項２又は３に記載の木造土台用スペーサにおいて、前記弾性材がゴムであり、前記中間硬質板７が鋼板であることを特徴とするものである。
【００１２】
請求項５に係る発明は、請求項２〜４の何れか一項に記載の木造土台用スペーサにおいて、前記支持層３における前記中間硬質板７の枚数が一枚に設定されていることを特徴とするものである。
【発明の効果】
【００１３】
請求項１の発明によれば、木造土台用スペーサが弾性材製の支持層で形成されているから、基礎土台の上面が多少起伏や部分的に凹凸を有する粗雑な平面であっても、根太を介して作用する建築物の重量によってスペーサが上下に圧縮され、土台上面の起伏や凹凸が均されて根太が載置されるスペーサとしての上面は平坦で高さレベルも均一化され、湾曲するとか上下に波打つことなく所期通りの自然状態で根太を配置することが可能になる。そして、基礎土台と根太との間にスペーサを隙間無く並べてその多数を配置することができるから、その有効設置面積を十分取ることができて、支持層による平面均し効果を発揮するゴム製としながらも下方への圧縮量（沈下）少なく建物を支持することが可能になる。この場合、各スペーサの貫通路の合計開口面積は十分大きなものとなり、優れた床下換気効果を得ることができる。その結果、さらなる構造工夫により、基礎土台への荷重分散が所期通りに図られて根太が波打つようなことなく載置できるようにしながら、優れた床下換気効果が得られるように改善された木造土台用スペーサを提供することができる。
【００１４】
請求項２の発明によれば、支持層が、中間鋼板７を持つ積層ゴム構造に設定されているから、上下の圧縮に対してより強く踏ん張ることができるとともに、クリープ現象（クリープ歪）も問題にならない位の小さいものにできるものとなり、請求項１の発明による前記効果を強化できる利点がある。
【００１５】
請求項３の発明によれば、支持層における中間硬質板が欠如される部分に貫通路を設けてあるから、中間硬質板を欠如させない場合に比べて、貫通路の開口面積（断面積）を無理なく十分な大きさに設定することができる。従って、請求項２の発明による前記効果を強化できる利点がある。この場合、請求項４のように、弾性材をゴムに、かつ、中間硬質板を鋼板とすれば、入手し易い材料であって廉価であり、かつ、生産性も優れるという実用上の利点も備わるようになる。
【００１６】
請求項５の発明によれば、中間硬質板を一枚に設定してあるので、弾性材による上記効果（平面均し効果）と、貫通路の確保効果とを得ながらも上下幅（高さ）を短く（薄く）することが可能になり、根太を基礎土台から上方に離し過ぎることなく安定的に設置することができる利点がある。
【発明を実施するための最良の形態】
【００１７】
以下に、本発明による木造土台用スペーサの実施の形態を、図面を参照しながら説明する。図１，２は木造土台用スペーサの構造を示す一部切欠き正面図，一部切欠き側面図、図３は戸建住宅への使用例を示す基礎部分の断面図、図４は図３の部分的正面図、図５は別構造の木造土台用スペーサを示す一部切欠き正面図である。
【００１８】
〔実施例１〕
実施例１による木造土台用スペーサ（以下、単に「スペーサ」と略称する）Ａは、図１〜図３に示すように、基礎土台１と根太２との上下間に介装されるものであって、床下換気用の貫通路４が形成される弾性材製の支持層３を有して構成されている。実施例１のスペーサ（「パッキン」とも言う）Ａは支持層３のみで構成されており、基礎土台１の幅と同等の幅Ｗと、例えば、一般的なコンクリートブロックと同等の長さＬと、ある程度の薄さの高さＨとが寸法設定された全体として矩形形状のゴムで形成されている。
【００１９】
貫通路４は、支持層３の上下高さ内において左右に（幅Ｗ方向に）貫通する角筒状の孔であり、支持層３の長手方向（長さＬ方向）で適宜間隔を空けて３箇所形成されている。つまり、貫通路４は、中間硬質板７を部分的に欠如させて弾性層６のみから成る弾性部分ｄを形成し、その弾性部分ｄに設けられている。支持層３における貫通路４の無い部分、即ち、４箇所の中実部分５は、上下２段（複数の一例）のゴム（弾性材の一例）製の弾性層６，６と中間鋼板（中間硬質板の一例）７とが交互に積層されて成る積層ゴム構造に構成されている。
【００２０】
中間鋼板７は平面視覚の形状が矩形を呈するものであって、防錆を考慮してゴム製の支持層３に埋設されている。貫通路４の断面積は床下の換気を十分に行えるものに設定されているが、洗面所やバス等の湿気条件の厳しい箇所には開口断面積を大きくする等、建物の大きさや場所により断面積を適宜に変更設定しても良い。また、図示は省略するが、各貫通路４に、虫除け用の網状体（金網等）を加硫接着（又はその他の取付手段）によって一体的に装備すれば好都合である。
【００２１】
さて、実施例１によるスペーサＡの施工例を、図３，図４に示す。スペーサＡは、その複数個を互いの長手方向の端面８が当接する状態で基礎土台１の上面１ａに並べて配置し、その上に根太２が載置される。
【００２２】
実施例１のスペーサＡはゴム製の支持層３で形成されているから、基礎土台１の上面１ａが多少起伏や部分的に凹凸を有する粗雑な平面であっても、根太を介して作用する建築物の重量によってスペーサＡが上下に圧縮され、土台上面１ａの起伏や凹凸が均されて根太２が載置されるスペーサＡとしての上面９は平坦で高さレベルも均一化され、湾曲するとか上下に波打つことなく所期通りの自然状態で根太２を配置することが可能になる。
【００２３】
そして、スペーサＡを隙間無く並べらてその多数を基礎土台と根太との間に配置することができるから、その有効設置面積を十分取ることができて、支持層３を上記平面均し効果を発揮するゴム製としながらも下方への圧縮量（沈下）少なく建物を支持することが可能になる。この場合、各スペーサＡの貫通路４の合計開口面積は十分大きなものとなり、優れた床下換気効果を得ることができる。
【００２４】
しかも、中実部分５は中間鋼板７を持つ積層ゴム構造に設定されているから、上下の圧縮に対してより強く踏ん張ることができるとともに、クリープ現象（クリープ歪）も問題にならない位の小さいものにできるものとなる。また、一つのスペーサＡ当りに貫通路４は３個形成されており、全体としての開口面積を十分大きい値にすることができ、床下の換気作用が強化されて白蟻等の害虫被害もより高次元で回避でき、優れた乾燥効果によって建物が長持ちする効果も期待することができる。
【００２５】
中間鋼板７はゴム製の支持層３に埋設されて覆われており、防錆上の問題が無いとともに、中間鋼板７を含む中実部分５の強い踏ん張り機能により、過荷重が作用しても隣合う中間鋼板７，７の間に配置される貫通路４が潰れずに維持され、良好な床下換気作用が維持される利点がある。尚、貫通路４に網状体を付加して床下の防虫効果を高めれば、木造建築材の腐食や傷みがより軽減され、建物の長寿命化が図れる利点が追加される。
【００２６】
〔別実施例〕
スペーサＡは、図５に示されるような構成でも良い。即ち、図１，２に示す実施例１のものに比べて、中間硬質板７を廃止し、その代わりに支持層３の上下を一面に覆う上及び下フランジ板１０，１１を加えて積層させた構成である。つまり、支持層３と上下の各フランジ板１０，１１とからスペーサＡが構成されている。貫通路４は上下のフランジ板１０，１１間に亘る上下長さを有し、図示（図５）のように、支持層３の薄膜を被せるようにして、鋼板製フランジ板１０，１１の防錆を考慮すれば好都合である。
【００２７】
そして、フランジ板１０，１１の端面１０ａ，１１ａが支持層３によるゴム膜で覆われるようにすればさらに好都合である。また、図５に仮想線で示すように、中実部分５に中間硬質板７を追加して積層ゴム構造としても良い。図５に示す別実施例のスペーサＡでは、建物の荷重が相当に重い等によって強く圧縮されると、ゴム製支持層３に存在する貫通路４の開口面積が小さくなり過ぎるおそれがあるが、中間硬質板７を持つ実施例１のスペーサＡではそのおそれを著しく軽減できる利点がある。
【００２８】
支持層３は、軟質合成樹脂、スポンジ、ＥＰＤＭ等のゴム以外の弾性材でも良く、また、中間硬質板７は、プラスチック板、ＦＲＰ、ステンレス板、アルミ合金板等、鋼板以外の材料も可能である。
【図面の簡単な説明】
【００２９】
【図１】実施例１による木造土台用スペーサの正面図
【図２】図１の木造土台用スペーサの側面図
【図３】図１の木造土台用スペーサの使用状態例を示す断面図
【図４】図３の使用状態例の部分的な正面図
【図５】別構造による木造土台用スペーサを示す正面図
【符号の説明】
【００３０】
１          基礎土台
２          根太
３          支持層
４          貫通路
６          弾性層
７          中間硬質板
ｄ          弾性部分
【図１】
2009121152.tif 000003
【図２】
2009121152.tif 000004
【図３】
2009121152.tif 000005
【図４】
2009121152.tif 000006
【図５】
2009121152.tif 000007